(57)【要約】【課題】ゲートカット機能を有する射出成形機のゲートカット機能を用いて型内樹脂を圧縮する。【解決手段】ゲートカット機能を有する射出成形機を用いた合成樹脂製品の射出圧縮成形方法であって、射出成形機におけるゲートカットピンが取り付けられる可動プレート２７に、ゲートカットピンに代えて、型内合成樹脂を圧縮するための圧縮部材２８を取り付け、圧縮部材２８により型内合成樹脂を圧縮する。圧縮部材２８は中心ピン２６回りに同心状に等間隔に配置した圧縮ピンとする。【選択図】図４
2006001060.tif 000002
【特許請求の範囲】
【請求項１】
ゲートカット機能を有する射出成形機を用いた合成樹脂製品の射出圧縮成形方法であって、
前記射出成形機におけるゲートカットピンが取り付けられる可動プレートに、前記ゲートカットピンに代えて、型内合成樹脂を圧縮するための圧縮部材を取り付け、この圧縮部材により型内合成樹脂を圧縮することを特徴とする合成樹脂製品の射出圧縮成形方法。
【請求項２】
ゲートカット機能を有する射出成形機を用いた、中心部に穴を有する合成樹脂製の円盤状部品または円筒状部品の射出圧縮成形方法であって、
型内において、前記中心部に位置する中心ピンを固定ピンとするとともに、前記部品の一側面に、当該部品の軸線と同心状に複数本の被圧縮用ピン状部分を設け、前記射出成形機におけるゲートカットピンが取り付けられる可動プレートに、前記ゲートカットピンに代えて、前記固定ピンと接触することなく当該固定ピンと平行に移動する前記被圧縮用ピン状部分と同数の圧縮部材としての圧縮ピンを取り付け、この圧縮ピンにより前記被圧縮用ピン状部分を圧縮することを特徴とする合成樹脂製品の射出圧縮成形方法。
【請求項３】
前記圧縮は、前記圧縮部材を所定距離だけ移動させることにより行うことを特徴とする請求項１または２記載の合成樹脂製品の射出圧縮成形方法。
【発明の詳細な説明】
【技術分野】
【０００１】
本発明は、合成樹脂製品の射出圧縮成形方法に関する。より詳しくは、ゲートカット機能を有する射出成形機を用いた合成樹脂製品の射出圧縮成形方法に関するものである。
【背景技術】
【０００２】
従来、合成樹脂製円盤状部品ないしその射出圧縮形成方法として、ウェブの圧縮に伴うボス内周面やリム外周面の変形を防止し、優れた強度と高い寸法精度を併せ持つ円盤状合成樹脂成形品を射出成形により形成するという目的を達成すべく、外周面に配置されたリムと、このリムの内周に同心円状に配置されたボスと、上記リムと上記ボスとを連結する円盤状のウェブとが射出成形により一体成形された合成樹脂成形品を、上記ウェブを射出成形用金型内で溶融樹脂が射出された後にその厚み方向に圧縮し、かつ上記ボスまたは上記リムを上記ウェブとともにその少なくとも一部を同方向に圧縮して形成する方法が知られている（例えば特許文献１参照）。
この方法においては、型の一部を構成するセンターピン（２４）の回りに当該センターピンと同心状に配置した円筒状の圧縮コア（２３）を型内において前記センターピンに対して平行に移動させることによって、上記圧縮を行うようになっていた。
【０００３】
一方、従来、ゲートカット機能を有する射出成形機が知られている。
この射出成形機は、可動プレートにゲートカットピンを取り付け、型内でゲートカットピンを移動させることで、ゲートをカットすることができるようになっている。
【特許文献１】特開２００２−２００６６１号公報
【発明の開示】
【発明が解決しようとする課題】
【０００４】
従来、ゲートカット機能を有する射出成形機におけるそのゲートカット機能は、専ら、ゲートをカットするためにだけ用いられていた。
この発明の第１の目的は、上記ゲートカット機能を用いて型内樹脂を圧縮することができるようにすることにある。
【０００５】
一方、上述した従来の合成樹脂製円盤状部品ないしその射出圧縮形成方法では、型の一部を構成するセンターピン（２４）の回りに配置した円筒状の圧縮コア（２３）を型内においてセンターピン（２４）に対して平行に移動させるようになっていたため、センターピン（２４）と、その回りに圧縮コア（２３）を介して配置される型（２２）とが、圧縮コア（２３）によって分断された状態となる。
このため、上記部品を成形する際、特に上記圧縮を行う際、センターピン（２４）と、その回りに圧縮コア（２３）を介して配置された型（２２）との間において、相対的な位置ずれ（ブレ）が生じやすくなる。
したがって、従来の技術では、高精度の合成樹脂製円盤状または円筒状部品を得ることは困難であった。
本発明の第２の目的は、ゲートカット機能を有する射出成形機を用いて高精度の合成樹脂製円盤状部品または円筒状部品を得ることにある。
【課題を解決するための手段】
【０００６】
上記第１の目的を達成するために本発明の合成樹脂製品の射出圧縮成形方法は、ゲートカット機能を有する射出成形機を用いた合成樹脂製品の射出圧縮成形方法であって、
前記射出成形機におけるゲートカットピンが取り付けられる可動プレートに、前記ゲートカットピンに代えて、型内合成樹脂を圧縮するための圧縮部材を取り付け、この圧縮部材により型内合成樹脂を圧縮することを特徴とする。
このように構成することによって、ゲートカット機能を有する射出成形機におけるそのゲートカット機能を用いて型内樹脂を圧縮することができるようになる。
上記第２の目的を達成するために本発明の合成樹脂製品の射出圧縮成形方法は、ゲートカット機能を有する射出成形機を用いた、中心部に穴を有する合成樹脂製の円盤状部品または円筒状部品の射出圧縮成形方法であって、
型内において、前記中心部に位置する中心ピンを固定ピンとするとともに、前記部品の一側面に、当該部品の軸線と同心状に複数本の被圧縮用ピン状部分を設け、前記射出成形機におけるゲートカットピンが取り付けられる可動プレートに、前記ゲートカットピンに代えて、前記固定ピンと接触することなく当該固定ピンと平行に移動する前記被圧縮用ピン状部分と同数の圧縮部材としての圧縮ピンを取り付け、この圧縮ピンにより前記被圧縮用ピン状部分を圧縮することを特徴とする。
このように構成することにより、圧縮時において、前記固定ピンと接触することなく当該固定ピンと平行に移動する圧縮ピンで被圧縮用ピン状部分を圧縮することができ、前述した従来技術とは異なり、型の一部を構成する固定ピンと、その回りに上記圧縮ピン同士の間隔を通じて配置される型とが、圧縮ピンによって分断された状態になってしまうということがない。すなわち、固定ピンと、その回りの型とは上記圧縮工程の際にも密接状態が維持されることとなる。
このため、上記部品を成形する際、特に上記圧縮を行う際においても、固定ピンと、その回りに配置された型との間には、相対的な位置ずれ（ブレ）が生じなくなる。
したがって、この発明によれば、より高精度の合成樹脂製円盤状または円筒状部品を得ることが可能となる。
さらに、上述した従来技術では、成形部品の一側面をその大部分に亘って圧縮していたので、大きな圧縮力が必要で、製造装置が大型化するという難点を有していたのに対し、この発明によりれば、ピン状部分を圧縮すればよいので、圧縮力を低減でき、したがって、小さな装置で製造することができる。
また、前記圧縮を、圧力制御によってではなく、前記圧縮ピンを所定距離だけ移動させることで行うことにより、被圧縮用ピン状部分を、所定量確実に圧縮することができるようになる。
【発明を実施するための最良の形態】
【０００７】
以下、本発明に係る合成樹脂製品の射出圧縮成形方法の実施の形態について図面を参照して説明する。
図１は、本発明に係る合成樹脂製品の射出圧縮成形方法によって作成される合成樹脂製品としての円盤状ないし円筒状部品の第１例を示す図で、（ａ）は正断面図（図（ｃ）におけるａ−ａ断面図）、（ｂ）は平面図、（ｃ）は底面図、（ｄ）は図（ｃ）におけるｄ−ｄ断面図、（ｅ）（ｆ）はそれぞれ図（ａ）の部分拡大図である。
【０００８】
この部品１０は、後述する射出圧縮成形により作成された合成樹脂製の歯車である。
図１（ａ）（ｃ）および、（ｅ）または（ｆ）に示すように、この部品１０は、その一側面１１に、当該部品１０の射出圧縮成形時に、当該部品１０の軸線ｏと同心状に複数本の被圧縮用ピン状部分１２（仮想線部分）が等間隔で配置されていたもので、射出圧縮成形時における圧縮工程で、当該ピン状部分１２の頭部１２ａが図（ｅ）または（ｆ）に破線矢印で示すように圧縮されたことにより作成された部品である。
【０００９】
図（ｅ）に示す例は、被圧縮用ピン状部分１２の頭部１２ａが前記一側面１１と同一面に達するまで、あるいは前記圧縮工程おける誤差ΔＬの範囲内で前記一側面１１に凹部１１ａが形成される位置１２ａ’まで圧縮されたことにより作成された部品の例であり、図（ｆ）に示す例は、被圧縮用ピン状部分１２の頭部１２ａが前記一側面１１と同一面に達するまで、あるいは前記圧縮工程おける誤差ΔＬの範囲内で前記一側面１１に凸部１１ａ’参照）が形成される位置１２ａ’’まで圧縮されたことにより作成された部品の例である。
【００１０】
被圧縮用ピン状部分１２が圧縮された後の頭部１２ａの位置１２ａ’または１２ａ’’は、前記一側面１１と同一面とすることが望ましい。したがって、この実施の形態では、圧縮された後の頭部１２ａの位置１２ａ’または１２ａ’’を前記一側面１１と同一面とすることを基本的な目的としている。しかしながら、厳密に言うと、実際には、前記圧縮工程おける圧縮長さには必ず誤差が生じるから、圧縮後の頭部１２ａの位置１２ａ’または１２ａ’’が前記一側面１１と完全に同一面になるということは実質上略あり得ず、作成されたそれぞれの部品によって、上記頭部１２ａが上記誤差により、前記一側面１１に凸部を形成したり凹部を形成したりしたのでは、商品価値を高める上でも、また、この部品を利用する上でも望ましくない。
そこで、この実施の形態では、後述するようにして、上記誤差ΔＬが生じたとしても、上記頭部１２ａの位置が前記一側面１１に凹部１１ａ（図（ｅ）参照）が形成される位置１２ａ’となるように圧縮し、あるいは、上記誤差ΔＬが生じたとしても、上記頭部１２ａの位置が前記一側面１１に凸部１１ａ’（図（ｆ）参照）が形成される位置１２ａ’’となるように圧縮することとしたものである。
【００１１】
このような部品１０は、被圧縮用ピン状部分１２が、射出圧縮成形時における圧縮工程で圧縮されることにより、当該部品１０の強度が増すとともにヒケが防止されるので、高精度の部品となる。
また、被圧縮用ピン状部分１２は部品１０の軸線ｏと同心状に複数本配置されているので、上記圧縮が部品１０全体に対して略均一になされることとなる。したがって、より一層高精度の部品となる。特に、歯車の場合、その歯筋誤差が１〜３級、隣接ピッチ誤差が１〜３級、累積ピッチ誤差（偏芯なし）が０〜１級、の精度とすることが可能である。
【００１２】
しかも、被圧縮用ピン状部分１２は、基本的には、その頭部１２ａが当該部品１０の一側面１１と同一面に達するまで圧縮された状態となるので、この被圧縮用ピン状部分１２は、完成品としての部品にはピンとして残らない。
したがって、完成品としての商品価値を高めることができると同時に、不要なピンがないことにより、当該部品の利用の自由度も増大する。
【００１３】
図２は、この実施の形態の射出圧縮成形方法によって作成される合成樹脂製品としての円盤状ないし円筒状部品の第２例を示す図で、（ａ）は正断面図、（ｂ）は平面図、（ｃ）は底面図、（ｄ）は正面図である。図２において、上述した第１例と同一部分ないし相当する部分には同一の符号を付してある。
この第２例の部品が上記第１例の部品と異なる点は、その形状が全体として第１例の部品に比べて、より筒状形となっている点にありその他の点に変わりはない。
この部品によっても、第１例の部品と同様な作用効果が得られる。
【００１４】
図３は、同じく第３例を示す図で、（ａ）は正断面図、（ｂ）は平面図、（ｃ）は底面図、（ｄ）は正面図である。図３において、上述した第１例と同一部分ないし相当する部分には同一の符号を付してある。
この第３例の部品が上記第１例、第２例の部品と異なる点は、その形状が全体として第１例、第２例の部品に比べて、さらに筒状形となっている点にありその他の点に変わりはない。
この部品によっても、第１例の部品と同様な作用効果が得られる。
【００１５】
図４〜図７は、本発明に係る合成樹脂製品の射出圧縮成形方法の一実施の形態を説明する図で、図４は、この方法に用いる射出成形機の一例の要部を示す図、図５（ａ）は図４の部分拡大図（図５（ｂ）におけるａ−ａ断面図）、図５（ｂ）は図５（ａ）におけるｂ−ｂ断面図である。
図６（ａ）は圧縮工程を示す図、図６（ｂ）は図６（ａ）の部分拡大図、図７（ａ）は突き出し工程を示す図、図７（ｂ）は図７（ａ）の部分拡大図である。
【００１６】
図４等に示す射出成形機はゲートカット機能を有している公知の射出成形機である。
図４において、２０は、射出成形機の図示しない可動機構に連結された可動ベースである。この可動ベース２０の上に可動ブロック２１を介して可動プレート２２が固定されており、この可動プレート２２の上に可動ブロック２３が固定され、この可動ブロック２３の内側に、下可動型２４，２５が固定されている。また、前記可動プレート２２の上に中心ピン（固定ピン）２６が固定されている。この中心ピン２６の回りに前記下可動型２４が配置されている。
【００１７】
上記可動ブロック２１内において前記可動ベース２０の上に可動プレート２７が載置されており、この可動プレート２７に圧縮部材としての圧縮ピン２８が植設（固定）されている。
従来、この可動プレート２７には、専ら型内のゲートをカットするためのゲートカットピンが取り付けられていたが、この実施の形態では、ゲートカットピンに代えて、型内合成樹脂を圧縮するための圧縮部材としての圧縮ピン２８を取り付ける。
【００１８】
圧縮ピン２８は図５（ｂ）に示すように、中心ピン２６の軸線ｏと同心状に複数本設けられている。これら圧縮ピン２８は、図４に示すように、中心ピン２６と平行であり、上記可動プレート２２に設けられた挿通孔２２ａおよび上記下可動型２４に設けられた挿通孔２４ａに挿通されている（図５（ａ）参照）。
図５（ａ）に示すように、下可動型２４における上記挿通孔２４ａの上部が、前述した被圧縮用ピン状部分１２となる部位を形成している。
【００１９】
図５からも明らかなように、圧縮ピン２８は中心ピン２６から離間していて中心ピン２６とは接触していない。したがって、型の一部を構成する中心ピン（固定ピン）２６と、その回りに配置された下可動型２４とは、圧縮ピン２８同士の間隔部分２８ｃを通じて密接状態（密接部を符号２４ｂで示す）にあり、圧縮ピン２８によって分断された状態とはなっていない。この状態は、後述する圧縮工程の際にも維持される。
【００２０】
図４に示すように、上記可動ベース２０の下方には、射出成形機の図示しない稼働手段により稼働される稼働ピン２９が配置されているとともに、可動ベース２０には、稼働ピン２９が挿通される穴２０ａが設けられている。
したがって、稼働ピン２９が前進して可動プレート２７を押し上げると圧縮ピン２８も前進し、逆に、稼働ピン２９が後退して可動プレート２７がその可動プレート２１内にあるバネの力で後退すると圧縮ピン２８も後退する。
【００２１】
一方、図４において、３０は、射出成形機の図示しないフレームに固定された固定ベースである。この固定ベース３０の下に固定プレート３１が一体的に固定されており、この固定プレート３１の下に固定ブロック３２が固定され、この固定ブロック３２の内側に、上固定型３４，３５が固定されている。
上記固定ベース３０、固定プレート３１、および上固定型３４には、型内に合成樹脂を注入するためのノズル３３が形成されており、このノズル３３に図示しない合成樹脂供給源が接続されている。
【００２２】
以下、合成樹脂製品の射出圧縮成形方法について、その要部を工程順に説明する。
（１）射出工程
図４に示すように、固定上型と可動下型とが結合されている状態で、ノズル３３から型内Ａ（図５（ａ）参照）に合成樹脂を注入する。
この合成樹脂注入により、図５（ａ）に示すように、部品１０の一側面１１となる部位に、当該部品の軸線ｏ（中心ピン２６の軸線と同軸である）と同心状に複数本の被圧縮用ピン状部分１２が形成される。
【００２３】
（２）圧縮工程
樹脂注入が完了し、所定時間経過してノズル３３の先端部分であるゲート部Ｇ（図５（ａ）参照）における樹脂が固化した後、型内Ａの樹脂が固化する前に、図６に示すように圧縮部材である稼働ピン２９を前進させ、可動プレート２７および圧縮ピン２８を距離Ｌだけ前進させる。圧縮ピン２８は中心ピン２６に対して平行に移動する。
この距離Ｌは、前述したように、被圧縮用ピン状部分１２が圧縮された後の頭部１２ａの位置１２ａ’または１２ａ’’が、前記一側面１１と同一面となるように設定することが望ましい。したがって、この実施の形態では、基本的には、圧縮された後の頭部１２ａの位置１２ａ’または１２ａ’’が前記一側面１１と同一面となるように前記距離Ｌを設定するのであるが、厳密に言うと、実際には、圧縮工程おける圧縮長さＬには必ず誤差が生じるから、圧縮後の頭部１２ａの位置が前記一側面１１と完全に同一面になるということは実質上略あり得ず、作成されたそれぞれの部品によって、上記頭部１２ａが上記誤差により、前記一側面１１に凸部を形成したり凹部を形成したりしたのでは、商品価値を高める上でも、また、この部品を利用する上でも望ましくない。
そこで、この実施の形態では、上記誤差ΔＬが生じたとしても、上記頭部１２ａの位置が前記一側面１１に凹部１１ａ（図１（ｅ）参照）が形成される位置１２ａ’となるように距離Ｌを設定するか、あるいは、上記誤差ΔＬが生じたとしても、上記頭部１２ａの位置が前記一側面１１に凸部１１ａ’（図１（ｆ）参照）が形成される位置１２ａ’’となるように距離Ｌを設定する。
上記誤差ΔＬが生じたときの上記頭部１２ａの位置が、前記一側面１１に凹部１１ａ（図１（ｅ）参照）が形成される位置１２ａ’となるようにするか、あるいは、前記一側面１１に凸部１１ａ’（図１（ｆ）参照）が形成される位置１２ａ’’となるようにするかは、作成すべき製品に応じて選択する。
圧縮ピン２８を上昇させる距離Ｌは、圧縮量（体積）が製品（部品１０）の体積の１〜５％になるように設定する。
すなわち、圧縮量（体積）＝Ｌ×（圧縮ピン２８の頭部面積）×（圧縮ピン２８の本数）であるから、この式を用いて、圧縮量（体積）が製品の体積の１〜５％になるように距離Ｌを設定する。さらにいえば、複数本の被圧縮用ピン状部分１２が、その頭部１２ａが前述した一側面１１と同一面に達するまで、あるいはこの圧縮工程における誤差範囲内で前記一側面１１に圧縮ピン２８による凹部１１ａが形成される位置まで、あるいはまたこの圧縮工程における誤差範囲内で前記一側面１１に圧縮ピン２８による凸部１１ａ’が形成される位置まで、圧縮された際に、その圧縮量（体積）が製品の体積の１〜５％になるように、上記式を用いて、距離Ｌと、圧縮ピン２８の頭部面積と、圧縮ピン２８の本数とを設定するということである。
なお、原料となる合成樹脂が少なくともポリアセタール、あるいはポリカーボネートである場合、上記圧縮量が１％未満であると圧縮効果が少なくてヒケが残るために高精度の部品が得られにくくなり、逆に５％を超えると、圧縮が強すぎて全体的に変形が生じてしまうということが本願発明者による実験で確認されている。
【００２４】
（３）圧縮停止工程
上記圧縮ピン２８が距離Ｌだけ上昇した後、圧縮ピン２８を所定時間停止させた状態とする。ここでの停止時間は、５秒以上とすることが望ましい。型内Ａにおける合成樹脂を落ち着かせ、冷却させるためである。
なお、ゲートカット機能を有している射出成形機においてゲートカットを行う場合、この停止工程は必ずしも必要ではないことから、ゲートカット機能を有している射出成形機を用いてこの実施の形態の方法を実施するとしたとしても、この停止工程は、この実施の形態に特有の工程である。
【００２５】
（３）型開きおよび、突出工程
上記５秒以上の所定時間が経過した後、図７に示すように、固定ベース３０および、固定プレート３１、固定ブロック３２、上固定型３４，３５を上動させて型開きを行なう。さらに、稼働ピン２９を上昇させて、圧縮ピン２８を上昇させ、その先端で製品（部品１０）を型から突き出す。
以上により製品１０が得られる。
（４）その後、全ての部位を元位置に復帰させる。
【００２６】
以上のような合成樹脂製品の射出圧縮成形方法は、ゲートカット機能を有する射出成形機を用いた合成樹脂製品の射出圧縮成形方法であって、前記射出成形機におけるゲートカットピンが取り付けられる可動プレート２７に、ゲートカットピンに代えて、型内合成樹脂を圧縮するための圧縮部材２８を取り付け、この圧縮部材２８により型内合成樹脂を圧縮する方法であるので、ゲートカット機能を有する射出成形機におけるそのゲートカット機能を用いて型内樹脂を圧縮することができるようになる。
【００２７】
また、型内において、中心部に位置する中心ピン２６を固定ピンとするとともに、部品の一側面１１に、その軸線ｏと同心状に複数本の被圧縮用ピン状部分１２を設け、射出成形機におけるゲートカットピンが取り付けられる可動プレート２７に、ゲートカットピンに代えて、前記固定ピン２６と接触することなく当該固定ピン２６と平行に移動する、前記被圧縮用ピン状部分１２と同数の圧縮部材としての圧縮ピン２８を取り付け、この圧縮ピン２８により前記被圧縮用ピン状部分１２を圧縮するので、圧縮時において、固定ピン２６と接触することなく当該固定ピン２６と平行に移動する圧縮ピン２８で被圧縮用ピン状部分１２を圧縮することができ、前述した従来技術とは異なり、型の一部を構成する固定ピン２６と、その回りに上記圧縮ピン２８同士の間隔を通じて配置される型２４とが、圧縮ピン２８によって分断された状態になってしまうということがない。すなわち、固定ピン２６と、その回りの型２４とは上記圧縮工程の際にも密接状態（図５における符号２４ｂ参照）が維持されることとなる。
このため、上記部品１０を成形する際、特に上記圧縮を行う際においても、固定ピン２６と、その回りに配置された型２４との間には、相対的な位置ずれ（ブレ）が生じなくなる。
したがって、より高精度の合成樹脂製円盤状または円筒状部品を得ることが可能となる。
【００２８】
また、被圧縮用ピン状部分１２は前記部品１０の軸線ｏと同心状に複数本配置されているので、上記圧縮が部品全体に対して略均一になされることとなる。したがって、より高精度の部品を製造することができる。
さらに、上述した従来技術では、成形部品の一側面をその大部分に亘って圧縮していたので、大きな圧縮力が必要で、製造装置が大型化するという難点を有していたのに対し、この実施の形態によりれば、ピン状部分１２を圧縮すればよいので、圧縮力を低減でき、したがって、小さな装置で製造することができる。
また、前記圧縮を、圧力制御によってではなく、前記圧縮ピン２８を所定距離Ｌだけ移動させることで行うことにより、被圧縮用ピン状部分１２を、所定量確実に圧縮することができるようになる。
【００２９】
しかも、被圧縮用ピン状部分１２は、基本的には、その頭部１２ａが部品１０の一側面１１と同一面に達するまで圧縮された状態となるので、この被圧縮用ピン状部分１２は、完成品としての部品１０にピンとして残らない。
したがって、商品価値の高い部品を得ることができると同時に、不要なピンがなくて利用の自由度も大きな部品を得ることができる。
【００３０】
＜他の実施の形態＞
図８〜図１１は、他の実施の形態を説明する図で、図８は、この実施の形態に用いる射出成形機の一例の要部を示す図、図９（ａ）は図８の部分拡大図（図９（ｂ）におけるａ−ａ断面図）、図９（ｂ）は図９（ａ）におけるｂ−ｂ断面図である。
図１０（ａ）は圧縮工程を示す図、図１０（ｂ）は図１０（ａ）の部分拡大図、図１１（ａ）は突き出し工程を示す図、図１１（ｂ）は図１１（ａ）の部分拡大図である。
【００３１】
この実施の形態が上述した実施の形態と異なる点は、圧縮部材として、圧縮ピン２８に代え、圧縮パイプ（筒状体）５０を用いた点にあり、その他の点に基本的な変わりはない。したがって、図８〜図１１において、上述した実施の形態と同一部分ないし相当する部分には同一の符号を付してある。
この実施の形態においては、中心ピン２６は可動ベース２０に固定してあり、圧縮パイプ５０は、中心ピン２６の回りに装着され、中心ピン２６と接触しつつ中心ピン２６に案内されて昇降するように構成されている。
このような構成によっても、上述した実施の形態とほぼ同様の工程によって図８〜図１１に示すようにして、製品１０を得ることができる。
【００３２】
しかしながら、この実施の形態では、型の一部を構成する中心ピン２６の回りに配置した圧縮パイプ５０を型内において中心ピン２６に対して平行に移動させるようになっているため、図９（ａ）（ｂ）から明らかなように、中心ピン２６と、その回りに圧縮パイプ５０を介して配置される型２４とが、圧縮パイプ５０によって分断された状態となる。
このため、上記部品を成形する際、特に上記圧縮工程を行う際、中心ピン２６と、その回りに圧縮パイプ５０を介して配置された下可動型２４との間において、相対的な位置ずれ（ブレ）が生じやすくなるおそれがある。
したがって、図９（ｂ）に仮想線で示すように、圧縮パイプ５０の少なくとも先端部分にスリット５１を複数設け、このスリット部分５１を通じて型２４の一部５２を中心ピン２６に当接させて、固定ピン２６と、その回りに配置された型２４との間における相対的な位置ずれ（ブレ）が生じなくなるようにすることが望ましい。
【００３３】
以上、本発明の実施の形態について説明したが、本発明は上記の実施の形態に限定されるものではなく、本発明の要旨の範囲内において適宜変形実施可能である。
【図面の簡単な説明】
【００３４】
【図１】本発明に係る本発明に係る合成樹脂製品の射出圧縮成形方法によって作成される合成樹脂製品としての円盤状ないし円筒状部品の第１例を示す図で、（ａ）は正断面図（図（ｃ）におけるａ−ａ断面図）、（ｂ）は平面図、（ｃ）は底面図、（ｄ）は図（ｃ）におけるｄ−ｄ断面図、（ｅ）（ｆ）はそれぞれ図（ａ）の部分拡大図。
【図２】同じく第２例を示す図で、（ａ）は正断面図、（ｂ）は平面図、（ｃ）は底面図、（ｄ）は正面図。
【図３】同じく第３例を示す図で、（ａ）は正断面図、（ｂ）は平面図、（ｃ）は底面図、（ｄ）は正面図。
【図４】本発明に係る合成樹脂製品の射出圧縮成形方法の一実施の形態に用いる射出成形機の一例の要部を示す正断面図。
【図５】（ａ）は図４の部分拡大図（図（ｂ）におけるａ−ａ断面図）、（ｂ）は図（ａ）におけるｂ−ｂ断面図。
【図６】（ａ）は圧縮工程を示す図、（ｂ）は図（ａ）の部分拡大図。
【図７】（ａ）は突き出し工程を示す図、（ｂ）は図（ａ）の部分拡大図。
【図８】他の実施の形態に用いる射出成形機の一例の要部を示す正断面図。
【図９】（ａ）は図８の部分拡大図（図（ｂ）におけるａ−ａ断面図）、（ｂ）は図（ａ）におけるｂ−ｂ断面図。
【図１０】（ａ）は圧縮工程を示す図、（ｂ）は図（ａ）の部分拡大図。
【図１１】（ａ）は突き出し工程を示す図、（ｂ）は図（ａ）の部分拡大図。
【符号の説明】
【００３５】
１０：部品、１１：一側面、１１ａ：凹部、ｏ：軸線、１２：被圧縮用ピン状部分、１２ａ：頭部、２６：中心ピン、２８：圧縮ピン（圧縮部材）、５０圧縮パイプ（圧縮部材）。
【図１】
2006001060.tif 000003
【図２】
2006001060.tif 000004
【図３】
2006001060.tif 000005
【図４】
2006001060.tif 000006
【図５】
2006001060.tif 000007
【図６】
2006001060.tif 000008
【図７】
2006001060.tif 000009
【図８】
2006001060.tif 000010
【図９】
2006001060.tif 000011
【図１０】
2006001060.tif 000012
【図１１】
2006001060.tif 000013